(57)【特許請求の範囲】
【請求項１】
電子ビーム発生手段からの電子ビームを第１の排気手段により排気された試料室に配置された試料に照射し、該試料を透過した電子ビームに基づく試料像を得る様に成した電子顕微鏡の試料装置であって、
先端部に試料を保持し該試料を真空外から前記試料室内に導入する試料ホルダと、電子光学軸上に配置され電子ビーム通過孔が開けられた密閉容器と、該密閉容器内にガスを供給する手段とから成り、前記密閉容器には開口部が開けられ、該開口部を介して前記試料ホルダの先端部が挿入される様に成した電子顕微鏡の試料装置であり、
前記電子ビーム通過孔内に、少なくとも二枚のオリフィス体を互いに空間を隔てて取り付けると共に、前記空間に繋がるガス通路を設け、該ガス通路を通じて前記オリフィス体に囲まれた空間を第２の排気手段により排気出来るように成し、
前記密閉容器内を排気する第３の排気手段を更に備えたことを特徴とする電子顕微鏡の試料装置。
【発明の詳細な説明】
【技術分野】
【０００１】
本発明はガス雰囲気室を備えた電子顕微鏡の試料装置に関する。
【背景技術】
【０００２】
電子顕微鏡において、試料を雰囲気ガス中に置き、その状態で試料と雰囲気ガスとによる反応過程を、その場で動的に観察すること、いわゆる「その場観察」が要求されることがある。例えば、触媒研究の分野では、触媒粒子が触媒反応ガスと反応して変化していく過程を動的に観察することは触媒の改良に大きな役割を果たす。又、ある材料がガスによってどのように変化していくかを動的に観察することは、例えば、公害ガスによる当該材料の腐食の研究、及び材料の改良に役立つものと期待されている。
【０００３】
この様な試料と雰囲気ガスとによる反応過程を電子顕微鏡で動的に観察しようとする場合、ガス雰囲気室を備えた試料ホルダを備えた電子顕微鏡が用いられている。
【０００４】
図１はガス雰囲気室を備えた試料ホルダを取り付けた透過型電子顕微鏡の一概略例を示している。
【０００５】
図中１は内部が真空に保たれている鏡筒、２は電子ビーム３を放出する電子銃、４は該電子ビームを集束する集束レンズである。
【０００６】
５は上磁極６と下磁極７を備え、該両磁極間に試料収納ブロック８が配置される様に成されたインレンズ型対物レンズで、前記試料収納ブロック８にセットされた試料に前記電子ビームを細く絞って照射するものである。尚、前記試料収納ブロック８が配置される前記対物レンズ５の上磁極６と下磁極７との間の空間を試料室９と称している。
【０００７】
１０、１１は前記ブロック８にセットされた試料を透過し、前記インレンズ型対物レンズ５で集束された電子を観察室１２内に配置された蛍光板１３上に試料の透過像として拡大投影するための中間レンズ、投射レンズである。
【０００８】
１４は前記観察室１２内を観察するための観察窓である。
【０００９】
１５は前記試料収納ブロック８を支持する試料ホルダで、該試料ホルダは前記鏡筒１の一部に設けられたゴニオメータ１６に装着されており、詳細には示されていないが、前記試料収納ブロック８にセットされた試料は該ゴニオメータによって、紙面に平行なＸ−Ｚ方向、紙面に垂直なＹ方向に移動可能、且つ、Ｘ軸周りに回動（傾斜）可能に構成されている。
【００１０】
１７は開閉バルブ１８を介してガスボンベ１９から送られてくるガスを、その量を適正に調節して、前記ゴニオメータ１６、及び、試料ホルダ１５を通じて前記試料収納ブロック８内部に供給するためのガス調節装置である。
【００１１】
図２は前記試料ホルダ、該試料ホルダに支持された試料収納ブロック８、及び、これらの周辺部（以後、試料装置と称す）の拡大図である。
【００１２】
該試料収納ブロックは直方体状の形状を有し、内部は空間に成っており、その上壁と底壁にはそれぞれ電子ビームが通過する孔が開けられている。
【００１３】
前記上壁の下面中央部と底壁の上面中央部には、それぞれ、その中央部に前記電子ビーム通過孔より小さい小孔が開けられた制御板２０Ａ，２０Ｂが、前記電子ビーム通過孔の中心と前記小孔の中心が一致する様に、固定されている。    
更に、前記制御板２０Ａ，２０Ｂの表面には、それぞれ、該各制御板に開けられた小孔を完全に覆う様に膜状の薄板２１Ａ，２１Ｂが貼り付けられており、該膜状の薄板と前記小孔により、電子ビームは良好に透過させるが、前記試料収納ブロック８の空間から該空間外へのガスの移動を遮断する様にしている。
【００１４】
２２は前記ガス調節装置１７に繋がり、前記ゴニオメータ１６と前記試料ボルダ１５内を突き抜けて前記空間内に達する様に配設されたガス導入管である。尚、図示しないが、前記空間内のガスを排出するガス排出管も設けられている。
【００１５】
この様な構成の透過電子顕微鏡装置において、先ず、観察すべき試料Ｓを試料収納ブロック８底壁内面上の制御板２０Ｂ表面上の中心部にセットし、該試料収納ブロック８を支持している試料ホルダ１５をゴニオメータ１６に装着する。
【００１６】
そして、該ゴニオメータを操作して、前記試料ＳをＸ，Ｙ，Ｚ軸方向に移動、且つ、Ｘ軸周りに回動させ、該試料を所定の観察が行える様に配置させる。
【００１７】
次に、前記試料室９内を排気ポンプ（図示せず）により所定の真空度に達するまで排気する。
【００１８】
この状態において、前記電子銃２から電子ビームを発生させる。該電子銃からの電子ビーム３は、前記集束レンズ４によって集束され、前記インレンズ型対物レンズ５により細く絞られ、前記試料収納ブロック８の上壁の孔、前記制御板２０Ａの小孔、前記薄板２１Ａを通過して前記試料Ｓに照射される。
【００１９】
この時、該試料を透過する電子は、前記薄板２１Ｂ、前記制御板２０Ｂ、前記試料収納ブロック８の底壁の孔を通過し、前記中間レンズ１０、及び、投射レンズ１１によって前記蛍光板１３上に拡大された試料の透過像が投影される。
【００２０】
さて、試料と雰囲気ガスとの反応過程を観察する場合には、前記開閉バルブ１８を開き、前記ガスボンベ１９からのガスを前記ガス調節装置１７に送る。
【００２１】
該ガス調節装置は制御装置（図示せず）の指令に基づいて所定量のガスを前記ガス導入管２２を介して前記試料収納ブロック８の内部の空間部に送る。該ガスの供給により、該試料収納ブロックの内部はガス雰囲気となり、該内部に配置された前記試料Ｓとガスとの反応が始まる。
【００２２】
この状態において、前記電子銃２からの電子ビーム３は、前記集束レンズ４によって集束され、前記インレンズ型対物レンズ５により細く絞られ、前記試料収納ブロック８の上壁の孔、前記制御板２０Ａの小孔、前記薄板２１Ａを通過して前記ガスとの反応を起こしている試料Ｓに照射される。
【００２３】
そして、この様な試料を透過する電子は、前記薄板２１Ｂ、制御板２０Ｂ、前記試料収納ブロック８の底壁の孔を通過し、前記中間レンズ１０、及び、投射レンズ１１によって前記蛍光板１３上に拡大された試料の透過像が投影される。この透過像は、ガスと反応している試料Ｓに基づくものである。
【００２４】
【特許文献１】特開２０００−１３３１８６号公報
【発明の開示】
【発明が解決しようとする課題】
【００２５】
所で、前記試料Ｓの所望の結晶方位を観察するために前記ゴニオメータ１６により前記試料ホルダ１５を傾斜させた場合、電子光学軸Ｏが前記試料収納ブロック８の上壁、及び、底壁に開けられた電子ビーム通過孔からずれてしまい、電子ビームが前記試料Ｓを透過することが出来なくなり、該試料の所望の結晶方位を観察することが出来なくなることがある。
【００２６】
本発明は、この様な問題を解決する新規な電子顕微鏡の試料装置を提供することを目的とする。
【課題を解決するための手段】
【００２７】
本発明の電子顕微鏡の試料装置は、電子ビーム発生手段からの電子ビームを試料室に配置された試料に照射し、該試料を透過した電子ビームに基づく試料像を得る様に成した電子顕微鏡の試料装置であって、先端部に試料を保持し該試料を真空外から前記試料室内に導入する試料ホルダと、電子光学軸上に配置され電子ビーム通過孔が開けられた密閉容器と、該密閉容器内にガスを供給する手段とから成り、前記密閉容器には開口部が開けられ、該開口部を介して前記試料ホルダの先端部が挿入される様に成したことを特徴とする。
【発明の効果】
【００２８】
本発明によれば、試料の所望の結晶方位を観察するために試料ホルダを傾斜させても、電子光学軸がガス雰囲気容器の上壁及び底壁に開けられた孔からずれることはなく、その為に、電子ビームは観察すべき試料を透過することが出来るので、試料の所望の結晶方位を観察することができる。
【発明を実施するための最良の形態】
【００２９】
以下に添付図面を参照して本発明の実施の形態を詳細に説明する。
（実施の形態１）
図３は本発明を実施する装置の一例である透過電子顕微鏡の試料装置の一概略例を示したもので、前記図２にて使用した記号と同一記号の付されたものは同一構成要素を示す。
【００３０】
図中３０は、例えば円筒状の形状を成し、その一方の底面が電子光学軸Ｏの近くに位置し、ゴニオメータ３１を支持する様に鏡筒１の一部に設けられたゴニオメータ支持体である。
【００３１】
３２はその先端部に試料保持体３３が取り付けられた試料ホルダで、前記ゴニオメータ３１に装着されており、詳細には示されていないが、前記試料保持体３３にセットされた試料Ｓは該ゴニオメータによって、紙面に平行なＸ−Ｚ方向、紙面に垂直なＹ方向に移動、且つ、Ｘ軸の周りに回動（傾斜）可能に構成されている。
【００３２】
３４は先端面に当たる部分が吹き抜けており、全体としては直方体状のガス雰囲気容器で、その上壁と底壁にはそれぞれ電子ビームが通過する孔が開けられている。
【００３３】
前記上壁の上面中央部と底壁の下面中央部には、それぞれ、その中央部に前記電子ビーム通過孔より小さい小孔が開けられた制御板３５Ａ，３５Ｂが、前記電子ビーム通過孔の中心と前記小孔の中心が一致する様に、固定されている。  
更に、前記制御板３５Ａ，３５Ｂの表面には、それぞれ、該各制御板に開けられた小孔を完全に覆う様に膜状の薄板３６Ａ，３６Ｂが貼り付けられており、該膜状の薄板と前記小孔により、電子ビームは良好に透過させるが、前記ガス雰囲気容器３４から該容器外へのガスの移動を遮断する様にしている。
【００３４】
３７は前記ガス雰囲気容器３４を支持した容器支持管で、該容器支持管は前記鏡筒１の一部に設けられた移動駆動体３８により、電子光学軸Ｏを横切る方向に移動可能に成っている。
【００３５】
３９はガス調節装置１７に繋がり、前記移動駆動体３８と前記容器支持管３７内を突き抜けて前記ガス雰囲気容器３４内に達する様に配設されたガス導入管である。尚、図示しないが、前記空間内のガスを排出するガス排出管も設けられている。
【００３６】
尚、前記ガス雰囲気容器３４の先端部（前記ゴニオメータ支持体３０の先端面に対向する部分）には開口部の縁に沿って溝が形成され、該溝にＯリング４０が嵌め込まれている。
【００３７】
この様な構成の試料装置を備えた透過電子顕微鏡装置において、先ず、観察すべき試料Ｓを試料保持体３３にセットし、該試料保持体を支持している試料ホルダ３２をゴニオメータ３１に装着する。
【００３８】
そして、該ゴニオメータを操作して、前記試料ＳをＸ，Ｙ，Ｚ軸方向に移動且つＸ軸周りに回動させ、該試料を所定の観察が行える様に配置させる。
【００３９】
又、同時に、前記移動駆動体３８により前記容器支持管３７を移動させ、前記ガス雰囲気容器３４の上壁と底壁に開けられた各孔の中心が電子光学軸Ｏ上に来る様にする。
【００４０】
次に、前記試料室９内を排気ポンプ（図示せず）により所定の真空度に達するまで排気する。
【００４１】
この状態において、前記電子銃２から電子ビームを発生させる。該電子銃からの電子ビーム３は、前記集束レンズ４によって集束され、前記インレンズ型対物レンズ５により細く絞られ、前記制御板３５Ａの小孔、薄板３６Ａ、ガス雰囲気容器３４の上壁の孔を通過して前記試料Ｓに照射される。
【００４２】
この時、該試料を透過する電子は、前記ガス雰囲気容器３４の底壁の孔、薄板３６Ｂ、制御板３５Ｂを通過し、前記中間レンズ１０、及び、投射レンズ１１によって前記蛍光板１３上に拡大された試料の透過像が投影される。
【００４３】
さて、試料と雰囲気ガスとの反応過程を観察する場合には、前記開閉バルブ１８を開き、前記ガスボンベ１９からのガスを前記ガス調節装置１７に送る。
【００４４】
該ガス調節装置は制御装置（図示せず）の指令に基づいて所定量のガスを前記ガス導入管３９を介して前記ガス雰囲気容器３４内に送る。該ガスの供給により、該ガス雰囲気容器の内部はガス雰囲気となり、該内部に配置された前記試料Ｓとガスとの反応が始まる。
【００４５】
この状態において、前記電子銃２からの電子ビーム３は、前記集束レンズ４によって集束され、前記インレンズ型対物レンズ５により細く絞られ、前記制御板３５Ａの小孔、薄板３６Ａ、ガス雰囲気容器３４の上壁の孔を通過して前記ガスとの反応を起こしている試料Ｓに照射される。
【００４６】
そして、この様な試料を透過する電子は、前記ガス雰囲気容器３４の底壁の孔、薄板３６Ｂ、制御板３５Ｂを通過し、前記中間レンズ１０及び投射レンズ１１によって前記蛍光板１３上に拡大された試料の透過像が投影される。この透過像は、ガスと反応している試料Ｓに基づくものである。
【００４７】
ここで、試料Ｓの所望の結晶方位を観察する場合には、前記ゴニオメータ３１により前記試料ホルダ３２を適宜傾斜させ、この状態で、前記ガスと反応している試料の透過像を得る場合と同様な一連の操作を行う。この場合には、前記ガス雰囲気容器３４は全く動かすことはないので、電子光学軸Ｏが該ガス雰囲気容器の上壁及び底壁に開けられた孔からずれることはなく、電子ビームが前記試料Ｓを透過することが出来なくなることはない。
【００４８】
尚、試料Ｓとガスとの反応を促進させるために、試料加熱手段を前記小ホルダ３２に設けても良い。
（実施の形態２）
図４は本発明を実施する装置の一例である透過電子顕微鏡の試料装置の他の概略例を示したもので、前記図３にて使用した記号と同一記号の付されたものは同一構成要素を示す。
【００４９】
図中５０は、例えば円筒状の形状を成し、一方の端部が円柱状にくり抜かれ（以後、該くり抜かれた部分Ｓａを円柱空間と称す）、該端部が電子光学軸Ｏの近くに位置し、ゴニオメータ３１を支持する様に鏡筒１の一部に設けられたゴニオメータ支持体である。該ゴニオメータ支持体には、前記円柱空間Ｓａに繋がり、該ゴニオメータ支持体の中心軸に平行な排気孔Ｈａが形成されており、該排気孔は、排気管Ｔａを介して外部の真空ポンプＰａに繋がっている。
【００５０】
５１は先端面に当たる部分が吹き抜けており、全体としては円筒状のガス雰囲気容器で、その外周の径が前記ゴニオメータ支持体５０の円柱空間Ｓａの内径より僅かに小さく、その上壁中央部と底壁中央部にはそれぞれ電子ビーム通過孔Ｈｂ，Ｈｃが開けられている。
【００５１】
又、前記ガス雰囲気容器壁内部には、一端が前記電子ビーム通過孔Ｈｂに繋がり、他端が側壁に繋がるガス通過孔Ｈｄ、一端が前記電子ビーム通過孔Ｈｃに繋がり、他端が側壁に繋がるガス通過孔Ｈｅが設けられている。
【００５２】
更に、前記上壁部の電子ビーム通過孔Ｈｂ内の上部と下部、及び、前記下壁部の電子ビーム通過孔Ｈｃ内の上部と下部には、それぞれ、二枚のオリフィス板５２aと５２b、５２cと５２ｄを互いに平行に取り付けられている。この様に成すことにより、前記各電子ビーム通過孔Ｈｂ，Ｈｃ内に、前記試料室９内の空間と前記ガス雰囲気容器５１内の空間を圧力的に隔離する空間部（以後、差圧空間と称す）Ｄａ，Ｄｂが形成される。尚、前記各オリフィス板に設けられているオリフィスは前記電子銃２からの電子ビームを通過させることが出来る口径を有する。
【００５３】
更に又、前記ガス雰囲気容器５１先端部の開口部近傍の外周部にはリング状の溝が形成され、該溝にはＯリング５３が嵌入されている。
【００５４】
５４は前記ガス雰囲気容器５１を支持した容器支持管で、該容器壁中に、一端が前記ガス通過孔Ｈｄ，Ｈｅにそれぞれ繋がり、該容器支持管の中心軸に平行なガス通過孔Ｈｆ，Ｈｇが形成されており、該容器支持管は前記鏡筒１の一部に設けられた移動駆動体５５により、電子光学軸Ｏを横切る方向に移動可能に成っている。
【００５５】
前記容器支持管５４の中心孔内には、その先端部に、ガスノズル５６を取り付けたガスノズル支持体５７が嵌入されており、該ガスノズルは、ガス調整装置１７に繋がり、前記移動体５５と前記ガスノズル支持体５７内を突き抜けて前記ガス雰囲気容器５１内に達する様に配設されたガス導入管（図示せず）に繋がっている。
【００５６】
Ｐｂは真空ポンプで、前記移動駆動体５５内を突き抜けて前記ガス通過孔Ｈｆ，Ｈｇに繋がる排気管Ｔｂに繋がっている。
【００５７】
この様な構成の試料装置を備えた透過電子顕微鏡装置において、先ず、観察すべき試料Ｓを試料保持体３３にセットし、該試料保持体を支持している試料ホルダ３２をゴニオメータ３１に装着する。
【００５８】
そして、該ゴニオメータを操作して、前記試料ＳをＸ，Ｙ，Ｚ軸方向に移動且つＸ軸周りに回動させ、該試料が所定の観察を行える様に配置させる。
【００５９】
又、同時に、前記移動駆動体５５により前記容器支持管５４を移動させ、前記ガス雰囲気容器５１先端部が前記ゴニオメータ支持体５０の円柱空間Ｓａ部に嵌入され、同時に、該ガス雰囲気容器の上壁部及び下壁部に開けられた各電子ビーム通過孔Ｈｂ，Ｈｃの中心が電子光学軸Ｏ上に来る様に調整する。
【００６０】
次に、前記試料室９内を排気ポンプ（図示せず）により所定の高真空度に達するまで排気する。
【００６１】
同時に、前記差圧空間Ｄａ，Ｄｂを排気ポンプＰｂにより、更に、前記ガス雰囲気容器５１内部を排気ポンプＰａにより、所定の高真空度に達するまで排気する。
【００６２】
この状態において、前記電子銃２から電子ビームを発生させる。該電子銃からの電子ビーム３は、前記集束レンズ４によって集束され、前記インレンズ型対物レンズ５により細く絞られ、ガス雰囲気容器５１上壁部の電子通過孔Ｈｂ内の差圧空間Ｄａを通過して前記試料Ｓに照射される。
【００６３】
そして、該試料を透過する電子は、前記ガス雰囲気容器５１下壁部の電子通過孔Ｈｃ内の差圧空間Ｄｂを通過し、前記中間レンズ１０及び投射レンズ１１によって前記蛍光板１３上に拡大された試料の透過像が投影される。
【００６４】
さて、試料と雰囲気ガスとの反応過程を観察する場合には、前記開閉バルブ１８を開き、前記ガスボンベ１９からのガスを前記ガス調節装置１７に送る。
【００６５】
該ガス調節装置は制御装置（図示せず）の指令に基づいて所定量のガスを前記ガス導入管Ｔｃ及びガスノズル５６を介して前記ガス雰囲気容器５１内に送る。該ガスの供給により、該ガス雰囲気容器の内部はガス雰囲気となり、該内部に配置された前記試料Ｓとガスとの反応が始まる。この時、前記ガス雰囲気容器５１内はガスの導入によって低真空状態となるが、該ガス雰囲気容器５１内の空間と、前記高真空の前記試料室９内の空間との間に前記差圧空間Ｄａ，Ｄｂが形成されているので、前記ガス雰囲気容器５１内のガスが前記試料室９内に漏れることがない。
【００６６】
この状態において、前記電子銃２からの電子ビーム３を前記ガス雰囲気容器５１上壁部の電子通過孔Ｈｂ内の差圧空間Ｄａを通過させて該ガスとの反応を起こしている試料Ｓに照射し、該試料を透過する電子を前記ガス雰囲気容器５１下壁部の電子通過孔Ｈｃ内の差圧空間Ｄｂを通過させ、前記中間レンズ１０及び投射レンズ１１によって前記蛍光板１３上に拡大された試料の透過像を投影する。
【００６７】
又、試料Ｓの所望の結晶方位を観察する場合には、前記ゴニオメータ３１により前記試料ホルダ３２を適宜傾斜させ、この状態で、前記ガスと反応している試料の透過像を得る場合と同様な一連の操作を行う。この場合には、前記ガス雰囲気容器５１は全く動かすことはないので、電子光学軸Ｏが該ガス雰囲気容器の上壁部及び底壁部に開けられた電子通過孔からずれることはなく、電子ビームが前記試料Ｓを透過することが出来なくなることはない。
【００６８】
この実施形態２の装置では、試料近傍のガス圧と試料室空間の高真空領域との圧力差を大きくすることが出来るので、ガス雰囲気容器内へのガスの導入量が少なくて済み、該ガスの電子ビームへの影響を最小限に抑えること、更に、該ガスによる他の部品（ガス雰囲気容器に存在する部品）への汚染も著しく軽減出来る。
【００６９】
尚、前記ガス雰囲気容器５１上壁部の電子ビーム通過孔Ｈｂ内と下壁部の電子ビーム通過孔Ｈｃ内に、それぞれ１個の差圧室を形成するように成したが、試料室内空間とガス雰囲気容器内空間との間の差圧に応じて二個以上の差圧室が設けられる。尚、差圧室の数は、電子ビーム通過孔内に互いに離して平行に取り付けられるオリフィス板の数により決定する。
【００７０】
又、前記例は一種類のガスと反応する試料の透過像を観察する場合を示したが、複数種類のガスと反応する試料の透過像観察を可能にするために、試料室外に異なった種類のガスをそれぞれ供給出来る複数のガス供給手段を設け、更に、前記ガスノズル支持体５７に複数のガスノズルを取り付け、該各ノズルと前記複数のガス供給手段各々とが繋がる様に成しても良い。
【図面の簡単な説明】
【００７１】
【図１】従来のガス雰囲気室を備えた試料ホルダを取り付けた透過型電子顕微鏡の一概略例を示している。
【図２】図１に示す透過電子顕微鏡に備えられた試料装置の一概略例を示している。
【図３】本発明を実施する装置の一例である透過電子顕微鏡の試料装置の一概略例を示している。
【図４】本発明を実施する装置の一例である透過電子顕微鏡の試料装置の他の概略例を示している。
【符号の説明】
【００７２】
１…鏡筒
２…電子銃
３…電子ビーム
４…集束レンズ
５…インレンズ型対物レンズ
６…上磁極
７…下磁極
８…試料収納ブロック
９…試料室
１０…中間レンズ
１１…投射レンズ
１２…観察室
１３…蛍光板
１４…観察窓
１５…試料ホルダ
１６…ゴニオメータ
１７…ガス調節装置
１８…開閉バルブ
１９…ガスボンベ
２０Ａ，２０Ｂ…制御板
２１Ａ，２１Ｂ…薄板
２２…ガス供給管
３０,５０…ゴニオメータ支持体
３１…ゴニオメータ
３２…試料ホルダ
３３…試料保持体
３４,５１…ガス雰囲気容器
３５Ａ，３５Ｂ…制御板
３６Ａ，３６Ｂ…薄板
３７,５４…容器支持管
３８,５５…移動駆動体
４０,５３…Ｏリング
５２a,５２b,５２c，５２d…オリフィス板
５６…ガスノズル
５７…ガスノズル支持体
Ｐａ，Ｐｂ…排気ポンプ
Ｓ…試料
Sa…円柱空間
Ｈａ…孔
Ｔａ，Ｔｂ…排気管
Ｈｂ，Ｈｃ…電子ビーム通過孔
Ｈｄ，Ｈｅ，Ｈｆ，Ｈｇ…ガス通過孔
Ｄａ，Ｄｂ…差圧空間
【図１】
0005284699.tif 000002
【図２】
0005284699.tif 000003
【図３】
0005284699.tif 000004
【図４】
0005284699.tif 000005